(57)【要約】【課題】この発明は、外箱と外箱内に収容される仕切部材とを備えた包装体において、仕切部材と外箱との間に、底上げ用の箱を用いることなく、収納品を取り出しやすい浅底の収納部を形成できる包装体を提供することを目的とする。【解決手段】外箱と、外箱内に収容されかつ上方から見て略＃形で中央部に第１収納部を有する仕切部材とを備えた包装体において、仕切部材の前面壁、後面壁、左側面壁および右側面壁のうちの少なくとも１つの壁の一端に、当該壁と外箱との間に第２収納部を形成するための収納部形成用フラップが連設されている。【選択図】図１
2008120424.tif 000002
【特許請求の範囲】
【請求項１】
外箱と、外箱内に収容されかつ上方から見て略＃形で中央部に第１収納部を有する仕切部材とを備えた包装体において、仕切部材の前面壁、後面壁、左側面壁および右側面壁のうちの少なくとも１つの壁の一端に、当該壁と外箱との間に第２収納部を形成するための収納部形成用フラップが連設されており、収納部形成用フラップは、仕切部材の上記壁の一端に連設されかつ仕切部材が外箱に収納された状態において当該壁の外面に沿って下方にのびる矩形の第１フラップ部、第１フラップ部の一端に連設されかつ仕切部材が外箱に収納された状態において外箱内面まで外方向に水平方向にのびる第２フラップ部、ならびに第２フラップ部の両側縁にそれぞれ連設されかつ仕切部材が外箱に収納された状態において上方にのびる第３および第４フラップ部から構成されていることを特徴とする包装体。
【請求項２】
第１フラップ部と第２フラップ部との境界の折り返し部の一部にスリットが形成されていることを特徴とする請求項１に記載の包装体。
【発明の詳細な説明】
【技術分野】
【０００１】
この発明は、監視カメラ等の電気機器を梱包するための梱包体に関し、特に、外箱と外箱内に収容される仕切部材とを備えた包装体に関する。
【背景技術】
【０００２】
一般的に、監視カメラは、監視カメラ本体（製品本体）の他に取扱説明書、ＣＤ−ＲＯＭ、フェライトコアといった付属品が梱包体に梱包された状態で流通販売されている。なお、フェライトコアは、ケーブルから発生する高周波の電磁ノイズを抑えるために、ケーブルを挟み込むようにして取り付けられる付属品である。
【０００３】
梱包体は、段ボール製の外箱と、外箱内に収納された段ボール製の仕切部材（製品本体保持体）とからなる。監視カメラは監視カメラを衝撃から保護するための製品本体保持体に収納されている。また、製品本体保持体は、外箱内において、監視カメラとその他の付属品とを分離し、梱包物が移動して片寄るのを防止している。
【０００４】
製品本体保持体と外箱との間には、空間が形成されるので、この空間はフェライトコア等の付属品を入れる空間として利用される。しかしながら、この空間は深さが大きいため、この空間に付属品を入れると、付属品が取り出しにくいという問題がある。
【０００５】
そこで、この空間内に底上げ用の箱を入れれば、この問題は解消されるが、そうすると、底上げ用の箱が必要となり、コストが高くなるとともに、梱包作業も複雑化する。
【特許文献１】特開２００３−２３７８４４号公報
【発明の開示】
【発明が解決しようとする課題】
【０００６】
この発明は、外箱と外箱内に収容される仕切部材とを備えた包装体において、仕切部材と外箱との間に、底上げ用の箱を用いることなく、収納品を取り出しやすい浅底の収納部を形成できる包装体を提供することを目的とする。
【課題を解決するための手段】
【０００７】
請求項１に記載の発明は、外箱と、外箱内に収容されかつ上方から見て略＃形で中央部に第１収納部を有する仕切部材とを備えた包装体において、仕切部材の前面壁、後面壁、左側面壁および右側面壁のうちの少なくとも１つの壁の一端に、当該壁と外箱との間に第２収納部を形成するための収納部形成用フラップが連設されており、収納部形成用フラップは、仕切部材の上記壁の一端に連設されかつ仕切部材が外箱に収納された状態において当該壁の外面に沿って下方にのびる矩形の第１フラップ部、第１フラップ部の一端に連設されかつ仕切部材が外箱に収納された状態において外箱内面まで外方向に水平方向にのびる第２フラップ部、ならびに第２フラップ部の両側縁にそれぞれ連設されかつ仕切部材が外箱に収納された状態において上方にのびる第３および第４フラップ部から構成されていることを特徴とする。
【０００８】
請求項２に記載の発明は、請求項１に記載の包装体において、第１フラップ部と第２フラップ部との境界の折り返し部の一部にスリットが形成されていることを特徴とする。
【発明の効果】
【０００９】
この発明によれば、外箱と外箱内に収容される仕切部材とを備えた包装体において、仕切部材と外箱との間に、底上げ用の箱を用いることなく、収納品を取り出しやすい浅底の収納部を形成できるようになる。
【発明を実施するための最良の形態】
【００１０】
以下、この発明を監視カメラを梱包する梱包体に適用した場合の実施例について説明する。
【実施例１】
【００１１】
図１は、上面が開放された状態の包装体の外観を示している。図２は、包装体が組み立てられる過程を示している。図３は、上面が閉鎖された状態の包装体を示している。
【００１２】
包装体は、段ボール製の外箱１０と、外箱１０内に収納される段ボール製の製品本体保持体（仕切部材）２０と、製品本体保持体２０上に載置される段ボール製の内蓋３０とからなる。
【００１３】
製品本体保持体２０は、上方から見て略＃形であり、中央部に上面が開放されかつ下面が閉鎖された製品本体収納部（第１収納部）４１（図３参照）を有する。この製品本体収納部４１内に監視カメラ本体が収納される。
【００１４】
外箱１０の左右両側面壁と製品本体保持体２０との間には、第１の付属品収納部（第２収納部）４２（図３参照）が形成されている。第１の付属品収納部４２には、例えば、複数のフェライトコアが収納される。なお、フェライトコアは、ケーブルから発生する高周波の電磁ノイズを抑えるために、ケーブルを挟み込むようにして取り付けられる付属品である。
【００１５】
また、外箱１０内には、内蓋３０の上側に、第２の付属品収納部４３（図３参照）が形成されている。第２の付属品収納部４３には、取扱説明書およびＣＤ−ＲＯＭ等の付属品が収納される。
【００１６】
外箱１０は、前面壁１１、後面壁１２、左側面壁１３、右側面壁１４、底面壁１５、前面壁１１の上縁に連設された前側フラップ１６、後面壁１２の上縁に連設された後側フラップ１７、左側面壁１３の上縁に連設された左側フラップ１８および右側面壁１４の上縁に連設された右側フラップ１９を備えている。外箱１０は、矩形のシート状の段ボールを抜き型を用いて打ち抜くことにより、製造されている。
【００１７】
内蓋３０は、矩形板部３１、矩形板部３１の前縁に連設された前側垂直壁３２、前側垂直壁３２の上縁に連設された後方突出壁３３、矩形板部３１の後縁に連設された後側垂直壁３４および後側垂直壁３４の上縁に連設された前方突出壁３５を備えている。内蓋３０は、矩形のシート状の段ボールを抜き型を用いて打ち抜くことにより、製造されている。      
【００１８】
図４は、製品本体保持体２０の外観を示している。
【００１９】
製品本体保持体２０は、前面壁２１、後面壁２２、左側面壁２３、右側面壁２４、底面壁２５、左側面壁２３の上縁に連設されかつ左側の第１付属品収納部４２を形成するための収納部形成用フラップ２６および右側面壁２４の上縁に連設されかつ右側の第１付属品収納部４２を形成するための収納部形成用フラップ２７を備えている。
【００２０】
前面壁２１および後面壁２２の左右方向の長さは、外箱１０内の左右方向の長さとほぼ等しい。左側面壁２３および右側面壁２４の前後方向の長さは、外箱１０内の前後方向の長さとほぼ等しい。左側面壁２３、右側面壁２４、前面壁２１および後面壁２２の高さはほぼ等しく、外箱１０内の高さより内蓋３０の挿入分だけ低い。
【００２１】
製品本体保持体２０は、底面壁２５および前後面壁２１、２２を形成するための第１構成体１００と、底面壁２５および左右両側面壁２３、２４を形成するための第２構成体２００とから構成されている。第１構成体１００および第２構成体２００は、矩形のシート状の段ボールを抜き型を用いて打ち抜くことにより、製造されている。
【００２２】
図５は、第１構成体１００および第２構成体２００の展開図を示している。図６および図７は、第１構成体１００および第２構成体２００が図５の状態から組み立てられる過程を示している。なお、図５において、破線は山折り線を、一点鎖線は谷折り線を示している。
【００２３】
第１構成体１００は、図５〜図７に示すように、前面壁２１を形成する２枚の矩形部分１０１、１０２と、第２構成体２００の矩形部分２０２と重なり合って底面壁２５を形成する矩形部分１０３と、後面壁２２を形成する２枚の矩形部分１０４、１０５とを備えている。
【００２４】
図７において、前面壁２１を形成する２枚の矩形部分１０１、１０２のうち、内側の矩形部分１０２の下縁は外側の矩形部分１０１の下縁より高い位置にある。同様に、後面壁２２を形成する２枚の矩形部分１０４、１０５のうち、内側の矩形部分１０４の下縁は外側の矩形部分１０５の下縁より高い位置にある。
【００２５】
そして、両内側の矩形部分１０２、１０４に底面壁２５の一部を構成する矩形部分１０３が連結されている。両内側の矩形部分１０２、１０４の下縁の幅中央には、下方突出片１０２ａ、１０４ａが形成されている。これらの下方突出片１０２ａ、１０４ａ（図５参照）の下縁と、外側の矩形部分１０１、１０５の下縁とは同じ高さ位置にある。これらの下方突出片１０２ａ、１０４ａは、底面壁２５の一部を形成するための矩形部分１０３に切り込みが入れられることにより形成されている。
【００２６】
前面壁２１の上縁の左端よりおよび右端よりには、上縁から前面壁２１の高さ中央位置まで伸びた垂直状の溝１１１、１１２が形成されている。同様に、後面壁２２の上縁の左端よりおよび右端よりにも、上縁から後面壁２２の高さ中央位置まで伸びた垂直状の溝１１３、１１４が形成されている。また、底面壁２５を形成するための矩形部分１０３の左端よりおよび右端よりには、前後方向に細長いスリット１１５、１１６が形成されている。
【００２７】
第２構成体２００は、図５〜図７に示すように、左側面壁２３を形成するための矩形部分２０１と、第１構成体１００の矩形部分１０３と重なり合って底面壁２５を形成する矩形部分２０２と、右側面壁２４を形成するための矩形部分２０３と、収納部形成用フラップ２６と、収納部形成用フラップ２７とを備えている。
【００２８】
図７において、左側面壁２３を形成するための矩形部分２０１および右側面壁２４を形成するための矩形部分２０３の下縁の幅中央部には、底面壁２５の一部を形成するための矩形部分２０２より下方に突出する下方突出片２０１ａ、２０３ａが形成されている。これらの下方突出片２０１ａ、２０３ａは、底面壁２５の一部を形成するための矩形部分２０２に切り込みが入れられることにより形成されている。
【００２９】
左側面壁２３を形成するための矩形部分２０１の前端よりおよび後端よりには、その下縁から左側面壁２３の高さ中央位置まで伸びた垂直状の溝２１１、２１２が形成されている。同様に、右側面壁２４を形成するための矩形部分２０３の前端よりおよび後端よりには、その下縁から右側面壁２４の高さ中央位置まで伸びた垂直状の溝２１３、２１４が形成されている。また、底面壁２５の一部を形成するための矩形部分２０２には、溝２１１と溝２１３とを連絡する溝２１５が形成されているとともに、溝２１２と溝２１４とを連絡する溝２１６が形成されている。
【００３０】
収納部形成用フラップ２６は、左側面壁２３（２０１）の上縁の両端部の間部分に連設された第１フラップ部２６ａと、第１フラップ部２６ａの左縁に連設された第２フラップ部２６ｂと、第２フラップ部２６ｂの前縁および後縁それぞれに連設された第３および第４フラップ部２６ｃ、２６ｄとからなる。第１フラップ部２６ａと第２フラップ部２６ｂとの境界（折り返し部）には、折り返し部に沿って折り返されやすくなるように、前後一対の切り込み（スリット）２２１が入れられている。
【００３１】
収納部形成用フラップ２７は、右側面壁２４の上縁の両端部の間部分に連設された第１フラップ部２７ａと、第１フラップ部２７ａの右縁に連設された第２フラップ部２７ｂと、第２フラップ部２７ｂの前縁および後縁それぞれに連設された第３および第４フラップ部２７ｃ、２７ｄとからなる。第１フラップ部２７ａと第２フラップ部２７ｂとの境界（折り返し部）には、折り返し部に沿って折り返されやすくなるように、前後一対の切り込み（スリット）２２２が入れられている。
【００３２】
第１構成体１００および第２構成体２００を、図５の状態から、図６の状態を経て、図７の状態に組み立てた後、それらを組合せることにより、図４に示すような製品本体保持体２０を組み立てる。
【００３３】
つまり、図７を参照して、第２構成体２００の溝２１１、２１３、２１５が第１構成体１００の前面壁２１の垂直溝１１１、１１２の間部分に嵌まるとともに第２構成体２００の溝２１２、２１４、２１６が第１構成体１００の後面壁２２の垂直溝１１３、１１４の間部分に嵌まり、かつ第２構成体２００の下方突出片２０１ａ、２０３ａが第１構成体１００のスリット１１５、１１６に嵌まるように、第２構成体２００を第１構成体１００に組み合わせる。これにより、図４に示すような製品本体保持体２０が得られる。
【００３４】
包装体の組み立て方について説明する。製品本体保持体２０を外箱１０内に上方から嵌め込んで行く。すると、その過程において、図２に鎖線で示すように、収納部形成用フラップ２６（２７）の第３および第４フラップ部２６ｃ、２６ｄ（２７ｃ、２７ｄ）が外箱１０の左側面壁１３（右側面壁１４）に押し込まれることにより、第１フラップ部２６ａ（２７ａ）が製品本体保持体２０の左側面壁２３（右側面壁２４）の外面に沿って下方にのびた垂直状態となり、第２フラップ部２６ｂ（２７ｂ）が外箱１０の左側面壁１３（右側面壁１４）の内面まで外方向にのびた水平状態となり、第３および第４フラップ部２６ｃ、２６ｄ（２７ｃ、２７ｄ）が上方にのびた垂直状態となる。
【００３５】
なお、第１フラップ部２６ａ（２７ａ）と第２フラップ部２６ｂ（２７ｂ）との境界（折り返し部）に形成された前後一対の切り込み（スリット）２２１（２２２）は、製品本体保持体２０を外箱１０内に上方から嵌め込むに伴って、収納部形成用フラップ２６（２７）が折り込まれる際に、収納部形成用フラップ２６（２７）全体が上方に持ち上げられるのを阻止するために形成されている。
【００３６】
製品本体保持体２０を外箱１０内に嵌め込むと、収納部形成用フラップ２６と外箱１０の左側面壁１３とによって上方が開放した第１の付属品収納部４２が形成されるとともに、収納部形成用フラップ２７と外箱１０の右側面壁１４とによって上方が開放した第１の付属品収納部４２が形成される。この状態で、製品本体保持体２０の製品本体収納部４１に監視カメラ本体を収納し、各第１の付属品収納部４２にフェライトコア等の付属品を収納する。
【００３７】
この後、外箱１０内に内蓋３０を嵌め込み、その上の部分（第２の部品収納部４３）に取扱説明書およびＣＤ−ＲＯＭ等の付属品を収納する。そして、外箱１０のフラップ１８、１９を閉じた後、外箱１０のフラップ１６、１７を閉じる。
【００３８】
上記実施例によれば、製品本体保持体２０の左側面壁２３、右側面壁２４に収納部形成用フラップ２６、２７を形成することにより、外箱１０と製品本体保持体２０との間に、底上げ用の箱を用いることなく、付属品を取り出しやすい浅底の付属品収納部４２を形成できるようになる。
【００３９】
なお、上記実施例では、製品本体保持体２０の左側面壁２３、右側面壁２４に付属品を収納するための収納部形成用フラップ２６、２７が形成されているが、製品本体保持体２０の前面壁２１、後面壁２２に付属品を収納するための収納部形成用フラップを形成してもよい。つまり、製品本体保持体の前面壁２１、後面壁２２、左側面壁２３および右側面壁２４の少なくとも１つに付属品を収納するための収納部形成用フラップを形成すればよい。
【図面の簡単な説明】
【００４０】
【図１】上面が開放された状態の包装体の外観を示す分解斜視図である。
【図２】包装体が組み立てられる過程を示す断面図である。
【図３】上面が閉鎖された状態の包装体を示す断面図である。
【図４】製品本体保持体の外観を示す斜視図である。
【図５】製品本体保持体を構成する第１構成体１００および第２構成体２００の展開図である。
【図６】第１構成体１００および第２構成体２００それぞれを組み立てる過程を示す斜視図である。
【図７】第１構成体１００および第２構成体２００それぞれの組み立て後の状態を示す斜視図で
【符号の説明】
【００４１】
１０  外箱
２０  製品本体保持体
３０  内蓋
２１  前面壁
２２  後面壁
２３  左側面壁
２４  右側面壁
２５  底面壁
２６、２７  収納部形成用フラップ
２６ａ、２７ａ  第１フラップ部
２６ｂ、２７ｂ  第２フラップ部
２６ｃ、２７ｃ  第３フラップ部
２６ｄ、２７ｄ  第４フラップ部
２２１（２２２）  切り込み（スリット）
【図１】
2008120424.tif 000003
【図２】
2008120424.tif 000004
【図３】
2008120424.tif 000005
【図４】
2008120424.tif 000006
【図５】
2008120424.tif 000007
【図６】
2008120424.tif 000008
【図７】
2008120424.tif 000009